(57)【要約】【課題】コンピュータ・ハウジングの非動作領域に配置された少なくとも１つのウィンドウを有するコンピュータ・ハウジングの装飾ウィンドウ装置を提供すること。【解決手段】コンピュータ・ハウジングの非動作領域に配置された少なくとも１つのウィンドウを有し、前記ウィンドウが、金属装飾ネットで覆われ、前記コンピュータ・ハウジングに接続されること。又、前記ウィンドウが、前記コンピュータ・ハウジングの両側面にそれぞれ配置されること、又、前記金属装飾ネットが、アルミニウム・ネットであること、又、前記金属装飾ネットが、ステンレス鋼ネットであること、又、前記金属装飾ネットが、前記コンピュータ・ハウジングの内部にねじ留めされること、さらに、前記装飾ネットとコンピュータ・ハウジングの接続が、可動であること。【選択図】　図１
0003097902.tif 000002
【実用新案登録請求の範囲】
【請求項１】
コンピュータ・ハウジングの非動作領域に配置された少なくとも１つのウィンドウを有し、前記ウィンドウが、金属装飾ネットで覆われ、前記コンピュータ・ハウジングに接続されることを特徴とするコンピュータ・ハウジングの装飾ウィンドウ装置。
【請求項２】
前記ウィンドウが、前記コンピュータ・ハウジングの両側面にそれぞれ配置されることを特徴とする請求項１に記載のコンピュータ・ハウジングの装飾ウィンドウ装置。
【請求項３】
前記金属装飾ネットが、アルミニウム・ネットであることを特徴とする請求項１に記載のコンピュータ・ハウジングの装飾ウィンドウ装置。
【請求項４】
前記金属装飾ネットが、ステンレス鋼ネットであることを特徴とする請求項１に記載のコンピュータ・ハウジングの装飾ウィンドウ装置。
【請求項５】
前記金属装飾ネットが、前記コンピュータ・ハウジングの内部にねじ留めされることを特徴とする請求項１に記載のコンピュータ・ハウジングの装飾ウィンドウ装置。
【請求項６】
前記装飾ネットとコンピュータ・ハウジングの接続が、可動であることを特徴とする請求項１に記載のコンピュータ・ハウジングの装飾ウィンドウ装置。
【考案の詳細な説明】
【０００１】
【考案の属する技術分野】
本考案は、一般に、コンピュータ・ハウジングに関する。より具体的には、本考案は、コンピュータ・ハウジングの非動作領域に配置された少なくとも１つのウィンドウを有するコンピュータ・ハウジングの装飾ウィンドウ装置に関する。ウィンドウは、金属装飾ネットで覆われ、コンピュータ・ハウジングに接続される。
【０００２】
【従来の技術】
一般に、コンピュータは、あらゆるところで見ることができ、商業環境または製造環境、学校、および家庭において、広く使用することができる。したがって、コンピュータの発明は、世界のまた別の産業革命であり、かつ人類文化の前進の画期的な出来事であると考えられる。
【０００３】
多くの電子部品がコンピュータ・ハウジングの内部に配置されているので、これにより、コンピュータ・ハウジングの内部では、熱と電磁波の影響が生じることになる。したがって、多くのコンピュータ製造業者は、多くの時間と費用をかけて、電磁波の外部への漏れと熱放散を防止する方法または装置を研究している。また、多くの特許が発行され、従来の技術が提案されたが、電磁波の外部への漏れと熱放散とは、２つの異なる主題であり、両方を追求することはできない。開放コンピュータ・ハウジングは、コンピュータ・ハウジングの内部のくすぶりを防止するように、確実に熱対流を生成することができるが、開放コンピュータ・ハウジングは、確実に電磁波を外部に漏らすことになる。
【０００４】
従来の技術のコンピュータ・ハウジングは、ほぼ閉鎖ハウジングであり、アクリルなどの透明な材料をハウジングの一部に使用して、ウィンドウを形成することがあり、または熱を放散させるために、ハウジングの上にいくつかの穴を有する。基本的には、これにより、熱放散などの以前の機能を獲得することができるが、ガラスまたはアクリル材料は、電磁波を遮蔽することができない。
【０００５】
【考案が解決しようとする課題】
したがって、コンピュータ・ハウジングの非動作領域に配置された少なくとも１つのウィンドウを有するコンピュータ・ハウジングの装飾ウィンドウ装置が必要であり、ウィンドウは、金属装飾ネットで覆われ、コンピュータ・ハウジングに接続される。
【０００６】
上記の問題を解決するために、本考案は、コンピュータ・ハウジングの非動作領域に配置された少なくとも１つのウィンドウを有するコンピュータ・ハウジングの装飾ウィンドウ装置を提供することを目的とし、ウィンドウは、金属装飾ネットで覆われ、コンピュータ・ハウジングに接続される。
【０００７】
【課題を解決するための手段】
本考案の上記の目的を達成するために、コンピュータ・ハウジングの非動作領域に配置されたコンピュータ・ハウジングの装飾ウィンドウ装置が提供され、ウィンドウは、金属装飾ネットで覆われ、コンピュータ・ハウジングに接続される。
【０００８】
又、詳述すると、前記目的を達成するため、本考案のコンピュータ・ハウジングの装飾ウィンドウ装置は、コンピュータ・ハウジングの非動作領域に配置された少なくとも１つのウィンドウを有し、前記ウィンドウが、金属装飾ネットで覆われ、前記コンピュータ・ハウジングに接続されることからなる。
又、前記ウィンドウが、前記コンピュータ・ハウジングの両側面にそれぞれ配置されることが好適である。
又、前記金属装飾ネットが、アルミニウム・ネットであることが好適である。
又、前記金属装飾ネットが、ステンレス鋼ネットであることが好適である。
又、前記金属装飾ネットが、前記コンピュータ・ハウジングの内部にねじ留めされることが好適である。
さらに、前記装飾ネットとコンピュータ・ハウジングの接続が、可動であることが好適である。
【０００９】
【考案の実施の形態】
本考案の新規な特徴は、具体的には、添付の請求項に述べられている。本考案は、添付の図面と併せて読むとき、以下の記述から最もよく理解されるであろう。
図１を参照すると、本考案の一実施形態によるコンピュータ・ハウジングの装飾ウィンドウ装置の３次元図が示されている。図１に示したように、基本的には、本考案のコンピュータ・ハウジングの装飾ウィンドウ装置は、ハウジング１と、装飾ネット２を備える。
【００１０】
本考案のコンピュータ・ハウジング１と従来の技術の相違は、本考案は、実施形態に示したように、ハウジング１の非動作領域に配置されたウィンドウ１１を有することであり、ウィンドウは、コンピュータ・ハウジング１の両側面にそれぞれ配置されることが好ましいが、これに限定されるものではない。
【００１１】
金属装飾ネット２は、メッシュの物体であり、その材料は、電磁波に抗するように、好ましくはアルミニウムまたはステンレス鋼など、金属であり、ウィンドウ１１のメッシュ２１も、メッシュ２１の密度が２００メッシュを超えるなど、電磁波に抗することができることが好ましく、メッシュ２１の寸法は、従来の技術のウィンドウ１１に対応し、ウィンドウ１１は、たとえば内側からハウジング１に接続されるが、これに限定されるものではない。
【００１２】
再び図１を参照すると、本考案を実施する際に、金属装飾ネット２がメッシュ２１を有し、メッシュ２１の寸法は、金属装飾ネット２の寸法より大きい。したがって、本考案は、視覚的な透明性と熱放散に対する効果を得ることができる。さらに、装飾ネット２の材料が金属なので、これにより、電磁波が外部に漏れるのを、効果的に防止することができる。したがって、本考案の装飾ウィンドウ装置は、コンピュータ・ハウジングの画期的躍進となる。
【００１３】
好ましい実施形態を参照して、本考案について記述してきたが、添付の請求項によって規定される本考案の精神から逸脱せずに、修正または変更を容易に実施することが可能であることを理解されたい。
【図面の簡単な説明】
【図１】本考案の一実施形態によるコンピュータ・ハウジングの装飾ウィンドウ装置の３次元図である。
【符号の説明】
１　コンピュータ・ハウジング
２　金属装飾ネット
１１　ウィンドウ
２１　メッシュ
【図１】
0003097902.tif 000003